(57)【要約】【課題】養殖環境及び清浄解毒の改善のため、殺菌の効能をも持ち合わせたポンプ加圧気液溶解混合器を提供する。【解決手段】  中空本体１とモーターポンプ４とから構成されるポンプ加圧気液溶解混合器であって、前記中空本体１の中には、気体と液体が相通じる一又は複数の吸入混合室１１１及び気液加圧溶解混合室１２が設置され、気液吸入混合室１１の上部の側面近くには、一個以上の気液吸入口１１１が設置されており、前記吸入口１１１は一個以上の気液吸入導管２とつながっており、気液が導管２で吸入された際に、同時に気体と液体を気液吸入混合室１１の中に導引し、前記気液加圧溶解混合室１２の底の側面近くには、一個以上の出入り口が設置され、直接導管から輸出し、調圧恒圧バルブ９１を設置する。【選択図】  図１
0003113520.tif 000002
【実用新案登録請求の範囲】
【請求項１】
中空本体とモーターポンプとから構成されるポンプ加圧気液溶解混合器であって、
前記中空本体の中には、気体と液体が相通じる一又は複数の気液吸入混合室及び気液加圧溶解混合室が設置され、前記気液吸入混合室の上部の側面近くには、一個以上の気液吸入口が設置されており、
前記吸入口は一個以上の気液吸入導管とつながっており、気液が導管で吸入された際に、同時に気体と液体を気液吸入混合室の中に導引し、
前記気液加圧溶解混合室の底の側面近くには、一個以上の出入り口が設置され、直接導管から輸出し、調圧恒圧バルブを設置し、
前記モーターポンプは中空本体の側面とつながり、その心軸が中空本体の気液吸入混合室の中に入れるようにし、心軸の上に一枚以上の回転ブレードが固定され、前記回転ブレード上には縦横に交差して並べられた鋸歯スロットがあり、
モーターポンプがオンにされた時、その心軸は回転ブレードと共に回転し、
気体と液体は気液吸入導管を経て気液吸入混合室の中へと抽入され、
回転ブレードの回転により気液が混合され、気体が液体の中に均等に溶け込み、細かい微小泡を発生させ、前記微小泡及び液体は、モーターポンプが加圧し、連通所により気液加圧溶解混合室の中へと入り、同時に気体はブレードの圧力による押し寄せ及び阻流板による再度の阻隔加圧及び時間延長を受け、更なる微小泡を再生し、溶液体に溶け込み、液体に気体を含む状態が飽和状態をオーバーし、再び出入り口から各種容器の中へと輸出されることを特徴とするポンプ加圧気液溶解混合器。
【請求項２】
前記モーターポンプ、中空本体気液を結合させ、攪拌混合室へと吸入し、気液加圧溶解混合室、調圧恒圧バルブの一体組み合わせ構造を連結することにより、導管に進出し、簡素化を図ったことを特徴とする、請求項１に記載のポンプ加圧気液溶解混合器。
【請求項３】
前記気液吸入導管は、一個以上の進気管及び進水管を相通じさせ、一個以上の吸入導管を設置し、同時に多管、オゾン発生器及びその他異なる液体を発生させることが可能な器具とつなげ、様々な気体と液体を気液吸入混合室の中に導入し、混合室の中で混ぜ合わせることを特徴とする、請求項１に記載のポンプ加圧気液溶解混合器。
【考案の詳細な説明】
【技術分野】
【０００１】
本考案は一種のポンプ加圧気液溶解混合器である。特に、各種の液体と気体を混ぜ合わせ、加圧することによって、その液体の中の酸素含有量及び他の気体含有量が飽和状態をオーバーし、また各種の容器の中に輸出し、液体（水）中の酸素（気体）含有量を高くさせ、或いは飽和状態の気体を常圧下で泡とすることにより、養殖環境及び清浄解毒の改善に使い、殺菌の効能をも持ち合わせたポンプ加圧気液溶解混合器に関する。
【背景技術】
【０００２】
一般的に、魚類等の生物を養殖する時には、魚類等の生物を水槽や養殖場などで飼い、電動式空気入れを利用し、外界の空気を水槽や養殖場の中に取りこみ、空気中の酸素が水中に溶け込めるようにし、水中に一定の酸素含有量を維持させる。そして、同時に水中にいる魚類等の生物が生存に必要な酸素が得られるよう、酸素を水中の中に溶け込ませる必要がある。しかし、上述の電動式空気入れを使っても、ただ空気を水の中に取り込むだけで、水中に入った空気の泡は非常に大きいゆえ、その泡と水の接触面積が小さいだけでなく、泡が水面上に浮き上がるスピードもはやく、せっかく水中に取り込んだ空気中の酸素も水に溶けにくくなる。そして、水中の酸素含有量が比較的に少なくなり、水中にいる魚類等の生物にも危害を与える。
【０００３】
また、従来、オゾン発生器と洗浄槽を結合させ、野菜解毒器具として世の中に登場したものがあるが、それは、主にオゾン発生器が通電によりオゾンを発生することを利用し、導管一つを経て洗浄槽の水中に入り、洗浄槽の中にオゾンが含まれるようにするものである。それにより、人々は水中のオゾン高酸化能力により野菜の表面に残留する農薬を排除し、安心して果物や野菜を食べられるようにしたものでもある。しかし、オゾンそのものが果物や野菜の表面の農薬を排除できても、前記オゾンの水中における泡の大きさは非常に大きく、上で挙げた例と同様にオゾンも水に溶けにくくなり、水中のオゾン含有量が少なく、農薬に対する効用もそれほど著しくない。
【考案の開示】
【考案が解決しようとする課題】
【０００４】
上述のような欠点を解決する為には、オゾン発生器をつなぐ導管の端末に多数の穴をつくり、オゾンが水中において多数の小さく細かい泡を作れるようにし、オゾンの水中においての含有量を増やす。しかし、このような方法は、オゾンが水中における含有量を増やすことができても、洗浄槽内の水の流動性が悪く、また、オゾンが多穴性構造により作り出された泡は、直接水面に上昇するため、オゾンの水中含有量は依然として足りない。且つオゾン水中含有量が多いところは、オゾンの出入り口である導管近くに限られ、その出入り口から離れたところは同じくオゾン水中含有量が不足となる恐れがある。
説明したように、従来の方法には以上のような欠点があり、改善する必要がある。
【課題を解決するための手段】
【０００５】
請求項１に記載するように、本考案のポンプ加圧気液溶解混合器は、
中空本体とモーターポンプとから構成されるポンプ加圧気液溶解混合器であって、
前記中空本体の中には、気体と液体が相通じる一又は複数の吸入混合室及び気液加圧溶解混合室が設置され、前記気液吸入混合室の上部の側面近くには、一個以上の気液吸入口が設置されており、
前記吸入口は一個以上の気液吸入導管とつながっており、気液が導管で吸入された際に、同時に気体と液体を気液吸入混合室の中に導引し、
前記気液加圧溶解混合室の底の側面近くには、一個以上の出入り口が設置され、直接導管から輸出し、調圧恒圧バルブを設置し、
前記モーターポンプは中空本体の側面とつながり、その心軸が中空本体の気液吸入混合室の中に入れるようにし、心軸の上に一枚以上の回転ブレードが固定され、前記回転ブレード上には縦横に交差して並べられた鋸歯スロットがあり、
モーターポンプがオンにされた時、その心軸は回転ブレードと共に回転し、
気体と液体は気液吸入導管を経て気液吸入混合室の中へと抽入され、
回転ブレードの回転により気液が混合され、気体が液体の中に均等に溶け込み、細かい微小泡を発生させ、前記微小泡及び液体は、モーターポンプが加圧し、連通所により気液加圧溶解混合室の中へと入り、同時に気体はブレードの圧力による押し寄せ及び阻流板による再度の阻隔加圧及び時間延長を受け、更なる微小泡を再生し、溶液体に溶け込み、液体に気体を含む状態が飽和状態をオーバーし、再び出入り口から各種容器の中へと輸出されることを特徴とする。
【０００６】
また、前記モーターポンプ、中空本体気液を結合させ、攪拌混合室へと吸入し、気液加圧溶解混合室、調圧恒圧バルブの一体組み合わせ構造を連結することにより、導管に進出し、簡素化を図ったことを特徴とする。
さらに、前記気液吸入導管は、一個以上の進気管及び進水管を相通じさせ、一個以上の吸入導管を設置し、同時に多管、オゾン発生器及びその他異なる液体を発生させることが可能な器具とつなげ、様々な気体と液体を気液吸入混合室の中に導入し、混合室の中で混ぜ合わせることを特徴とする。
【考案の効果】
【０００７】
本考案の混合器に、水等の液体、及び酸素やオゾン等の気体を注入した時、常圧により自然的に気体は超飽和含有量に達し、その気体は極微小の泡となり、野菜、果物、食物、医療器具などの被洗浄物の汚れを泡の衝撃により洗いおとす。
気体がオゾンの場合、水中のオゾンの酸化作用により、野菜等の農薬残毒殺菌、及びそのほかの化学物質の解毒等が可能である。これにより、病毒の伝染防止、食用安全衛生の確保を高めることができる。
このような方法は、水槽、魚の池、養殖場及びプール等でも使え、水中の酸素含有量及び洗浄槽消毒殺菌効能を増加させ、病原菌の発生を防ぎ、水中養殖物の成長環境を改善し、病害を減らす。
【考案を実施するための最良の形態】
【０００８】
本考案のポンプ加圧気液溶解混合器は、中空本体及びモーターポンプが含まれている。前記中空本体中には、上から下まで順に一個以上の気体と液体が相通じる吸入混合室や気液加圧溶解混合室が設置されている。前記気液吸入混合室の上部の側面近くには、一個以上の気液吸入口が設置されている。そして、前記気液吸入口は一個以上の気液吸入導管とつながっており、気液が導管で吸入された際に、同時に気体と水を気液吸入混合室の中に導引する。以上の吸入導管はオゾン発生器や同時に他の異なる気体の器具をつなげ、進気管及び進水管が同時に水や気体を導入し、導管を経て気液吸入混合室の中へと吸入させる。当気液加圧溶解混合室の内には、少なくとも一つ阻流板があり、また、前記気液加圧溶解混合室の底の側面近くには、一つ以上の水の出入り口が設置され、直接導管から輸出し、調圧恒圧バルブを設置する。
【０００９】
前記モーターポンプには、中空本体の上部の側面とつながり、そのモーターポンプの心軸が本体の頂端により気液吸入混合室の中へと入り、心軸の上に一枚の回転ブレードが固定されている。前記回転ブレード上には縦横に交差して並べられた鋸歯スロットがある。かつ、延期回転ブレードは気液吸入混合室の気液吸入導管と相応じ、モーターポンプと連動し、回転ブレードは一緒にハイスピードで回転する。これにより、液体や気体を気液吸入混合室中に吸入し、同時に回転ブレードが高速にまわることにより、気液を混ぜる効果が発生する。これにより、気液が液体の中に均等に溶け込み、細かい微小泡を発生させることができる。当微小泡及び液体は、モーターポンプが加圧し、連通口により気液加圧溶解混合室の中へと入り、同時に気体はブレードが圧力による押し寄せ及び前記阻流板による再度の阻隔加圧及び時間延長を受け、更なる微小泡を再生し、溶液体（水）に溶け込み、液体（水）に酸素を含む状態が飽和状態をオーバーし、再び水の出入り口から各種容器の中へと輸出される。（例えば、解毒皿、水槽、養殖場等）
【００１０】
図１、及び図２は、本考案のポンプ加圧気液溶解混合器に関するものである。以下詳細に説明する。
中空本体（１）の頂面には、防水結合穴（図示されず）が設置され、上から下まで順に、気液吸入混合室（１１）及び当気液加圧溶解混合室（１２）が設置される。前記結合穴と気液吸入混合室（１１）は相通じ、気液吸入混合室（１１）と前記気液加圧溶解混合室（１２）には一つ以上の連通口（１３）がある。前記気液吸入混合室（１１）の上部の側面近くには、一個以上の気液吸入口（１１１）が設置されている。そして、前記気液吸入口（１１１）は一個以上の気液吸入導管（２）とつながっている。
【００１１】
気液は導管（２）で吸入された際に、進水管（２２）及び少なくとも一つ以上ある進気管（２１）を含み、当進水管（２２）及び進気管（２１）は、少なくとも一つ以上ある。  導管（２）には、オゾン発生器（２１１）（図４参照）及びその他異なる液体を発生させることが可能な器具とつなげることが可能である。且つ前記進水管（２２）は進気管（２１）と共に作り上げることができるものである。
これにより、気液吸入導管（２）は進水管（２２）及び進気管（２１）を経て、別々に気体（３１）及び水（３２）を気液吸入口（１１１）から気液吸入混合室（１１）へと吸入し、前記気液加圧溶解混合室（１２）内にも、少なくとも一枚以上の阻流板（１２１）が設置され、当気液加圧溶解混合室（１２）の近くにある底側の一旦に水の出入り口（１２２）を設け、輸出導管をつないで、調圧恒圧バルブ（９１）を作り、当調圧恒圧バルブ（９１）は、主に水の出具合をコントロールする。
当モーターポンプ（４）の心軸（４１）は中空本体（１）の結合穴により気液吸入混合室（１１）に進入し、且つ当心軸（４１）と結合穴は、完全密封であり、隙間が一つもない。そして、心軸（４１）の上には一枚の回転ブレード（５）があり、当回転ブレード（５）と気液吸入混合室（１１）の片側の気液吸入口（１１１）と相応じ、回転ブレード（５）の上には縦横に交差して並べられた鋸歯スロット（５１）がある。そして、当モーターポンプ（４）の外部には、ふた（４２）があり、モーターポンプ（４）を保護するためにある。
【００１２】
モーターポンプ（４）がオンにされた時、その心軸（４１）は回転ブレード（５）をつれ、一緒にハイスピードで回転し、気液吸入導管（２）の進気管（２１）及び進水管（２２）を経て、別々に気体（３１）と水（３２）を気液吸入口（１１）の中へ吸入し、気液吸入混合室（１１）の中へと吸入する。同時に、回転ブレード（５）と鋸歯スロット（５１）が高速にまわることにより、気液（３１）が液体（３２）の中に溶け込み、細かい微小泡（７１）を発生させることができる。当微小泡（７１）及び液体（３２）は、モーターポンプ（４）が加圧し、連通口（１３）により気液加圧溶解混合室（１２）の中へと入り、同時に気液加圧溶解混合室（１２）内に設置された阻流板（１２１）により、導流が阻止され、気液が溶け込んだ空間や面積を増やし、泡（７１）により多くの時間をつくり、加圧に耐えられるようにする。これにより、液体（３２）は、酸素含有量が飽和状態をオーバーし、再び水の出入り口（１２２）により泡（７１）を各種容器の中に輸出する。（例えば、水槽・養殖場（６１）、各種の解毒器（６２）（図４、図５と図６に示されたとおり）とプール（６３）等が挙げられる。）
【００１３】
図４、図５及び図６に示すように、前記綿密なる微小泡（７１）が、上で述べられた容器に注入されたとき、常圧により液体（３２）は自然的に超飽和酸素含有量を発生させ、その酸素は極微小の泡（７１）となり、当泡（７１）は、平均的に分布された気液により、皿や器（８１）野菜（８３）、果物、食べ物、医療器具（８２）などを衝撃により洗いおとし、水中のオゾン高酸化作用により、その農薬残毒殺菌及びそのほかの化学物質、解毒等を防ぐことができる。これにより、病毒の伝染防止、食用安全衛生の確保を高めることができる。そのうち、解毒皿（６２）内には、螺旋ブレード（９２）を設けることができ、容器の底にあるモーター（９３）によって動かし、容器内の液体が螺旋ブレード（９２）による動きでまわされ、微小泡が液体の回転力により刺激を受けさせることができる。このような動力により、続けて容器内の野菜、果物、食べ物、医療器具等を衝撃によって洗い流し、解毒、殺菌の効果に達することができる。
続けて、図３及び図７に示すように、本考案は水槽（６１）、魚の池、養殖場及びプール（６３）等でも使え、水中の酸素高含有量及び洗浄槽消毒殺菌効能を増加させ、病原菌の発生を防ぎ、水中養殖物の生長環境を改善し、病害を減らす目的に達することができる。
【図面の簡単な説明】
【００１４】
【図１】本考案のポンプ加圧気液溶解混合器の断面説明図である。
【図２】本考案のポンプ加圧気液溶解混合器の動作説明図である。
【図３】本考案のポンプ加圧気液溶解混合器の第一応用説明図である。
【図４】本考案のポンプ加圧気液溶解混合器の第二応用説明図である。
【図５】本考案のポンプ加圧気液溶解混合器の第三応用説明図である。
【図６】本考案のポンプ加圧気液溶解混合器の第四応用説明図である。
【図７】本考案のポンプ加圧気液溶解混合器の第五応用説明図である。
【符号の説明】
【００１５】
１      中空本体
１１    気液吸入混合室
１１１  気液吸入口
１２    気液加圧溶解混合室
１２１  阻流板
１２２  水の出入り口
１３    つなぎ口
２      気液吸入導管
２１    進気管
２１１  オゾン製造器
２２    進水管
３１    気体
３２    水
４      モーターポンプ
４１    心軸
４２    ふた
５      回転ブレード
５１    鋸歯スロット
６１    水槽・養殖場
６２    解毒皿
６３    プール
７１    微小な泡
８１    器や皿
８２    医療器具
８３    野菜
９１    調圧恒圧バルブ
９２    螺旋ブレード
９３    モーター
【図１】
0003113520.tif 000003
【図２】
0003113520.tif 000004
【図３】
0003113520.tif 000005
【図４】
0003113520.tif 000006
【図５】
0003113520.tif 000007
【図６】
0003113520.tif 000008
【図７】
0003113520.tif 000009